(57)【特許請求の範囲】
【請求項１】
浴槽の浴水を取り込み、浄化した後に浴槽に戻す浴水の循環経路と、該浴水の循環経路に浴水殺菌用の塩素を注入する装置とを有する浴水浄化装置において、
前記浴水の循環経路から、必要に応じて適宜浴水を採取する装置と、
該採取した浴水を保持する測定タンクと、
該測定タンクに設けられ、該採取された浴水の塩素濃度を測定する測定装置と、
前記測定タンクに塩素を注入する装置と、
前記測定タンクに塩素をほぼ含まない水を注入する装置と、
前記測定タンクに塩素が注入された時の測定装置の検出値と、前記測定タンクに塩素をほぼ含まない水が注入された時の測定装置の検出値とを入力し、これらの検出値が異常である時に警告を発する手段と、
を備えたことを特徴とする浴水浄化装置。
【請求項２】
浴水に脱塩素処理を施して、この浴水を前記塩素をほぼ含まない水として用いる、
請求項１の浴水浄化装置。
【発明の詳細な説明】
【０００１】
【発明の属する技術分野】
この発明は、浴水浄化装置に関する。
【０００２】
【従来の技術】
浴槽の浴水を循環させて取り込み、これを浄化し、場合によっては殺菌や加温などの処理を加えて、浴水に戻す浴水浄化装置が広く普及している。
浴水の浄化は、主としてろ過により行われているが、近年塩素殺菌を行うことも検討されている。
塩素殺菌を行う場合には、塩素の濃度管理が重要であり、塩素濃度が低いと殺菌効果が不十分であり、また塩素濃度が高いと人体に対して悪影響を与える問題がある。
そのため、浴水の塩素殺菌を行う場合には、従来は塩素センサを有する塩素濃度測定装置を用い、浴水中に該塩素センサを設け、常に塩素濃度を監視し、塩素濃度が所定の範囲に入るように塩素注入を行っていた。
【０００３】
【発明が解決しようとする課題】
しかし、上記した従来の装置の場合、常に塩素センサを浴水中に置いておく必要があり、浴水の汚れなどから塩素センサを保護する構造などが必要である上、センサ部分に流す浴水の流量を制御する装置が必要であり、装置が高価で且つ複雑になる問題があった。
また、塩素濃度測定装置が正しく作動しているかどうかを確かめる手段がなく、測定装置が故障したままで過剰に塩素を投入しても、これを検知できない等の危険があった。
本発明は上記従来技術の問題を解決することを目的とする。
【０００４】
【課題を解決するための手段】
上記目的を達成するために、本発明は、浴槽の浴水を取り込み、浄化した後に浴槽に戻す浴水の循環経路と、該浴水の循環経路に浴水殺菌用の塩素を注入する装置とを有する浴水浄化装置において、前記浴水の循環経路から、必要に応じて適宜浴水を採取する装置と、該採取した浴水を保持する測定タンクと、該測定タンクに設けられ、該採取された浴水の塩素濃度を測定する測定装置と、前記測定タンクに塩素を注入する装置と、前記測定タンクに塩素をほぼ含まない水を注入する装置と、前記測定タンクに塩素が注入された時の測定装置の検出値と、前記測定タンクに塩素をほぼ含まない水が注入された時の測定装置の検出値とを入力し、これらの検出値が異常である時に警告を発する手段と、を備えたことを特徴とする。
上記構成において、測定タンクに浴水を採取して塩素濃度を検出するため、センサ等が常に浴水にさらされることがなく、汚れの問題が生じない。そのため、装置の簡略化と低コスト化が図れる効果がある。また測定タンクに塩素を注入して測定し、且つ塩素ゼロの水を入れて測定するから、両者の検出値に基づいて測定装置の故障などを検知することが可能である。
また、上記塩素をほぼ含まない水を、浴水を脱塩素処理して得れば、装置の簡略化、低コスト化が図れる。
【０００５】
【発明の実施の形態】
以下本発明の実施の形態を図面に基づいて説明する。
図１において、浴槽５０の浴水は、浴水浄化装置Ａの入水管５５から循環ポンプ５１を介してろ過タンク５２に導入され、ここでろ過され、ヒータ５３で所定温度まで加温されて出水管５６から浴槽５０に戻されるように構成されている。
【０００６】
ろ過タンク５２の上部に導入管１５を介して測定タンク１が接続されている。導入管１５には電磁弁１０が設けられており、この電磁弁１０の開閉により、必要なときにろ過タンク５２の浴水を採取して測定タンク１に導くことが出来るようになっている。１１はフィルタである。
【０００７】
測定タンク１には図１と図２に示すように、塩素注入器３からの塩素を注入するための測定注入管３１が設けられており、塩素注入器３から所定量の塩素注入が行われるようになっている。また塩素センサ２を備えており、測定タンク１に採取された浴水の遊離有効塩素を検出し、該検出信号を制御装置４に送るようになっている。測定タンク１の下部には排出管１６が接続され、この排出管１６はろ過タンク５２とヒータ５３の間に接続されて、測定タンク１の浴水を循環路に戻すように構成されている。
【０００８】
塩素注入器３は３方向弁３０と前記した測定注入管３１及び浴水注入管３２を備えており、３方向弁３０を切り換えることにより塩素剤（次亜塩素酸ナトリウム等）を測定注入管３１又は浴水注入管３２に選択的に供給するように構成されている。
測定注入管３１は前記したように測定タンク１に接続されており、浴水注入管３２は前記出水管５６に接続され、浴水に塩素を注入するようになっている。
【０００９】
制御装置４は浴水浄化装置全体の制御を行っており、前記電磁弁１０、３方向弁３０及び塩素注入器３の制御を行っている。また塩素センサ２からの検出信号は、前記したように制御装置４に入力されるように構成されている。
【００１０】
以上の構成において、通常の運転時には浴水は浴槽５０から循環ポンプ５１、ろ過タンク５２、ヒータ５３を通って、浴槽５０に循環され、浴水の浄化を行う。
必要がある時に、電磁弁１０が開とされ、フィルタ１１を通って導入管１５から測定タンク１内に浴水が導入される。
【００１１】
該導入した浴水中の塩素量は塩素センサ２により検出され、制御装置４に送られる。これにより浴水の塩素量を検出できる。しかも、塩素センサ２は必要なときにだけ、浴水と接触するから、汚れ等からの保護をあまり必要としない。
単に塩素量の検出のみを行うときは、電磁弁１０を開のまま維持して、浴水を排出管１６から循環路に流しながら行うことが可能である。
【００１２】
浴水に注入すべき総塩素量を推測するには、測定タンク１に塩素を注入して、推測する。即ち測定タンク１に浴水を導入し、３方向弁３０を切り換えて測定注入管３１を介して塩素を測定タンク１に注入しつつ、塩素センサ２により塩素濃度を逐次チェックする。所定時間後に目的とする濃度に達したら、この時の塩素注入量Ｃと測定タンク１に採取された浴水の量から、浴水単位当たりの必要塩素量が算出し、該単位当たりの必要塩素量に浴水の総量を掛けてやれば、必要とする総塩素量を得ることができる。
【００１３】
なお、浴水の総量は浴槽５０の容積と浴水浄化装置Ａの容積とから算出したり、或いは浴水浄化装置Ａ内に流量計などを設けて検出することが可能である。
また、更に上記塩素注入量Ｃから浴水の総量を計算することも可能である。
即ち、浴水注入管３２から浴水中に塩素を注入し、同時に電磁弁１０を開にしておき、浴水を測定タンク１にも循環するようにして、塩素濃度を逐次検出し、前記目的とする濃度に達したら注入を停止して、その時の塩素注入量Ｃ’を検出する。この塩素注入量Ｃ’と前記測定タンク１における塩素注入量Ｃ及び測定タンク１に採取された浴水の量とから、実際の浴水の総量を計算することができる。
【００１４】
塩素センサ２の故障をチェックする場合には、塩素注入器３から高濃度の塩素を注入する。測定上限濃度の塩素を注入するのが望ましい。この時の塩素濃度を塩素センサ２で検出する。
また、測定タンク１にほぼ塩素ゼロの水を導入し、同様にこの時の塩素濃度を塩素センサ２で検出する。
この２つの検出値により塩素センサ２の故障を検知できる。ここでは、どちらか一方でも測定データが正しくない場合に、塩素センサ２に異常があると判断するようになっている。
【００１５】
制御装置４は異常警告装置５を備えており、塩素センサ２に異常があると判断した場合には、異常警告装置５により異常の警告を行うようになっている。警告はランプやディスプレイの表示、ブザー音などの音による警告、或いは振動などにより可能であり、これらを適宜組み合わせても良い。
【００１６】
塩素ゼロの水は、他の装置を用いて真水を測定タンク１に導入しても良いが、浴水を脱塩素処理して用いれば、装置の簡略化を図ることができる。
該脱塩素処理は、所定時間循環運転してろ過タンク５２によりろ過すれば良い。また、装置Ａが紫外線ランプを備える場合には、紫外線を十分に照射させることにより脱塩素が可能である。また、ヒータ５３により５０℃程度まで加熱し保温することによっても脱塩素が可能である。
上記のような方法で脱塩素処理を施した浴水を導入管１５から測定タンク１に採取することにより、ほぼ塩素ゼロの水を測定タンク１に満たすことが可能である。
【００１７】
図３により動作を説明する。
電磁弁１０を開いて測定タンク１に浴水を採取し、塩素注入器３から高濃度の塩素を注入する（ステップＳ１）。塩素センサ２により塩素濃度を測定し、該濃度が異常か否か判断する（ステップＳ２）。異常であれば、異常警告装置５に信号を送り異常の警告を発する（ステップＳ５）。
正常であれば、浴水を脱塩素処理した塩素がほぼゼロの水を測定タンク１に採取し（ステップＳ３）、この塩素濃度を塩素センサ２により測定する（ステップＳ４）。この検出値が異常な場合は、異常警告装置５に信号を送り異常の警告を発し、正常であれば動作を終了する。
【００１８】
【発明の効果】
以上説明したように本発明の浴水浄化装置によれば、必要なときに測定タンクに浴水を採取して塩素濃度測定装置により塩素濃度を測定するから、浴水の汚れに対するセンサの保護は従来の装置ほど必要とせず、また測定装置のセンサ部に流す浴水の流量の制御など必要としないため、装置の簡単化と低コスト化を図れる等の効果がある。また、この測定タンクにおいて、測定装置の故障などを検知することが出来るから、精度の高い塩素濃度検出を実現できる。
【図面の簡単な説明】
【図１】本発明の一実施形態を示す概略図。
【図２】本発明の一実施形態の測定タンク１の拡大図。
【図３】本発明の一実施形態の動作を示すフローチャート図。
【符号の説明】
１：測定タンク、２：塩素センサ、３：塩素注入器、４：制御装置、５：異常警告装置、１０：電磁弁、１１：フィルタ、１５：導入管、１６：排出管、３０：３方向弁、３１：測定注入管、３２：浴水注入管、５０：浴槽、５１：循環ポンプ、５２：ろ過タンク、５３：ヒータ、５５：入水管、５６：出水管。
【図１】
0003973417.tif 000002
【図２】
0003973417.tif 000003
【図３】
0003973417.tif 000004